(57)【要約】【課題】小型化が図れるプロジェクタを提供する。【解決手段】プロジェクタ１は、投射光学装置による投射方向にファン回転軸Ａｘ１，Ａｘ２が交差するように投射光学装置を挟んで互いに対向して配設され、吸気口を介して外部の空気を内部に導入する第１シロッコファン７１および第２シロッコファン７２を備える。第２シロッコファン７２は、第１シロッコファン７１よりも大きい形状を有する。第１シロッコファン７１は、投射光学装置と吸気口との間に配設されている。【選択図】図５
2008242106.tif 000002
【特許請求の範囲】
【請求項１】
光源装置と、前記光源装置から射出された光束を画像情報に応じて変調する光変調装置と、前記光変調装置にて変調された光束を拡大投射する投射光学装置と、前記光源装置、前記光変調装置、および前記投射光学装置を内部に収納する外装筐体とを備えたプロジェクタであって、
前記外装筐体には、当該プロジェクタを所定の姿勢状態に設置した際に、鉛直方向に沿う側面部における前記投射光学装置に対向する位置に、外部の空気を内部に導入するための吸気口が形成され、
前記投射光学装置による投射方向にファン回転軸が交差するように前記投射光学装置を挟んで互いに対向して配設され、前記吸気口を介して外部の空気を内部に導入する第１シロッコファンおよび第２シロッコファンを備え、
前記第２シロッコファンは、前記第１シロッコファンよりも大きい形状を有し、
前記第１シロッコファンは、前記投射光学装置と前記吸気口との間に配設されている
ことを特徴とするプロジェクタ。
【請求項２】
請求項１に記載のプロジェクタにおいて、
前記第１シロッコファンおよび前記第２シロッコファンは、各ファン回転軸が互いにずれた位置にそれぞれ配設され、
前記第１シロッコファンおよび前記吸気口の間に配設され、前記第１シロッコファンの吸入面および前記ファン回転軸に沿う外周を囲む平面視Ｌ字形状を有し、前記吸気口を介して前記外装筐体内部に導入された空気を前記第１シロッコファン側および前記投射光学装置側に分流して流通させる吸気側ダクトを備えている
ことを特徴とするプロジェクタ。
【請求項３】
請求項２に記載のプロジェクタにおいて、
前記吸気側ダクトは、内部の空気を前記第１シロッコファン側に排出するための第１吸気側排出口、および内部の空気を前記投射光学装置側に排出するための第２吸気側排出口を有し、
前記吸気側ダクト内部には、前記第１吸気側排出口を含む領域と、前記第２吸気側排出口を含む領域とに区画する仕切り部が設けられている
ことを特徴とするプロジェクタ。
【請求項４】
請求項２または請求項３に記載のプロジェクタにおいて、
前記第１シロッコファン側から前記第２シロッコファン側にかけて前記投射光学装置における前記投射方向に沿う外面に倣って延出し、前記吸気側ダクトにて前記投射光学装置側に流通された空気を前記第２シロッコファンに導く連結ダクトを備え、
前記連結ダクトは、
前記第１シロッコファンに対向し、前記第１シロッコファンを取り付けるためのファン支持部を備え、
前記ファン支持部は、前記連結ダクトにおける前記第２シロッコファンに向かう空気の流通路に連通する連通室を有する中空状に形成されている
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調する光変調装置と、光変調装置にて変調された光束を拡大投射する投射光学装置と、光源装置、光変調装置、および投射光学装置を内部に収納配置する外装筐体とを備えたプロジェクタが知られている。
このようなプロジェクタでは、光変調装置等の各種光学部品の冷却構造として、外装筐体に吸気口を形成し、該吸気口を介して外装筐体外部の空気を内部に取り込み、取り込んだ空気により各種光学部品を冷却する冷却構造が多用される（例えば、特許文献１参照）。
特許文献１に記載の冷却構造では、吸気口に対向するように１つのシロッコファンを配設し、該１つのシロッコファンの駆動により吸気口を介して外装筐体外部の空気を内部に取り込んでいる。
【０００３】
【特許文献１】特開２００６−７２０３７号公報
【発明の開示】
【発明が解決しようとする課題】
【０００４】
ところで、外装筐体内部の各種光学部品を効率的に冷却するためには、吸気口を介して所定の吸入量で外装筐体外部の空気を吸入し、各種光学部品に送風する必要がある。
特許文献１に記載のプロジェクタでは、１つのシロッコファンにより吸気口を介して外装筐体外部の空気を内部に取り込む構成としているため、外装筐体内部の各種光学部品を効率的に冷却するためには、１つのシロッコファンに前記所定の吸入量で外装筐体外部の空気を吸入させる必要がある。すなわち、吸引力の高い大型のシロッコファンを用いる必要がある。したがって、外装筐体内部に大型のシロッコファンを配設するための空間が必要となり、すなわち、外装筐体を厚み方向に大きく形成する必要があり、プロジェクタの小型化が図れない、という問題がある。
【０００５】
本発明の目的は、小型化が図れるプロジェクタを提供することにある。
【課題を解決するための手段】
【０００６】
本発明のプロジェクタは、光源装置と、前記光源装置から射出された光束を画像情報に応じて変調する光変調装置と、前記光変調装置にて変調された光束を拡大投射する投射光学装置と、前記光源装置、前記光変調装置、および前記投射光学装置を内部に収納する外装筐体とを備えたプロジェクタであって、前記外装筐体には、当該プロジェクタを所定の姿勢状態に設置した際に、鉛直方向に沿う側面部における前記投射光学装置に対向する位置に、外部の空気を内部に導入するための吸気口が形成され、前記投射光学装置による投射方向にファン回転軸が交差するように前記投射光学装置を挟んで互いに対向して配設され、前記吸気口を介して外部の空気を内部に導入する第１シロッコファンおよび第２シロッコファンを備え、前記第２シロッコファンは、前記第１シロッコファンよりも大きい形状を有し、前記第１シロッコファンは、前記投射光学装置と前記吸気口との間に配設されていることを特徴とする。
【０００７】
本発明では、プロジェクタは、吸気口を介して外装筐体外部の空気を内部に取り込む第１シロッコファンおよび第２シロッコファンの２つのファンを備えている。このことにより、外装筐体内部の光変調装置等の各種光学部品を効率的に冷却するために必要とされる所定の吸入量を、２つのファンで補い合えばよく、２つのファンを、従来のシロッコファンと比較して、吸引力の小さい小型のファンで構成できる。したがって、２つのファンで前記所定の吸入量を維持し外装筐体内部の各種光学部品を効率的に冷却でき、かつ、２つのファンを小型化することで外装筐体を厚み方向に大きく形成する必要がなくプロジェクタの小型化が図れる。
【０００８】
ところで、２つのシロッコファンを同一形状（同一サイズ）で構成した場合には、以下の問題が生じやすい。
すなわち、第１シロッコファンは、投射光学装置と吸気口との間に配設されているため、吸気口を介して外装筐体外部の空気を吸入しやすい。
一方、第２シロッコファンは、投射光学装置を挟んで第１シロッコファンに対向する。このため、吸気口を介して第２シロッコファンに向かう空気は、第１シロッコファンにより遮られ、第２シロッコファンにて吸入されにくいものとなる。
そこで、吸気口を比較的に大きく形成する。そして、吸気口側から見た場合に、第１シロッコファンの外側に第２シロッコファンの少なくとも一部が位置するように第１シロッコファンおよび第２シロッコファンを投射方向にずらして配設し、吸気口を介して第２シロッコファンに向かう空気が第１シロッコファンにより遮られることを防止することが考えられる。しかしながら、このように配設した場合には、第１シロッコファンおよび第２シロッコファンを投射方向にずらして配設した分、外装筐体を投射方向に大きく形成する必要があり、プロジェクタの小型化を阻害する。
【０００９】
本発明では、第２シロッコファンは、第１シロッコファンよりも大きい形状（サイズ）を有している。そして、小さい方の第１シロッコファンは、投射光学装置と吸気口との間に配設されている。このことにより、第１シロッコファンおよび第２シロッコファンを投射方向にずらして配置しなくても、吸気口側から見た場合に、第１シロッコファンの外側に第２シロッコファンの一部が位置することとなる。このため、吸気口を介して第２シロッコファンに向かう空気は、ファン回転軸に沿って第１シロッコファンの外側を通り、第２シロッコファンにて吸入されやすい構造を実現できる。したがって、第１シロッコファンおよび第２シロッコファンを投射方向にずらして配設する必要がなく、外装筐体を投射方向に大きく形成することなくプロジェクタの小型化が図れる。
【００１０】
本発明のプロジェクタでは、前記第１シロッコファンおよび前記第２シロッコファンは、各ファン回転軸が互いにずれた位置にそれぞれ配設され、前記第１シロッコファンおよび前記吸気口の間に配設され、前記第１シロッコファンの吸入面および前記ファン回転軸に沿う外周を囲む平面視Ｌ字形状を有し、前記吸気口を介して前記外装筐体内部に導入された空気を前記第１シロッコファン側および前記投射光学装置側に分流して流通させる吸気側ダクトを備えていることが好ましい。
ところで、第１シロッコファンおよび第２シロッコファンを各ファン回転軸が同一軸上に位置するように配設した場合には、吸気側ダクトを製造するにあたって、以下に示す問題が生じやすい。
すなわち、吸気側ダクトの形状としては、第２シロッコファンにて吸気口を介して外装筐体外部の空気を効果的に吸入させるためには、第１シロッコファンの吸入面とファン回転軸を挟んで互いに対向する各外周面とを囲む平面視Ｕ字形状を有するように形成する必要がある。このような形状の吸気側ダクトを製造する場合には、吸気側ダクトの成型に用いられる金型が複雑な形状となる。このため、吸気側ダクトの製造が困難なものとなるとともに、吸気側ダクトの製造コストが増加してしまう。
【００１１】
本発明では、第１シロッコファンおよび第２シロッコファンは、各ファン回転軸が互いにずれた位置にそれぞれ配設されている。このことにより、吸気口側から見た場合に、第１シロッコファンの外側に位置する第２シロッコファンの部位（以下、ずれ部位）を、第１シロッコファンのファン回転軸に対する第２シロッコファンのファン回転軸のずれ方向の所定位置に纏めて位置付けることができる。また、吸気側ダクトは、第１シロッコファンの吸入面およびファン回転軸に沿う外周を囲む平面視Ｌ字形状を有している。このことにより、吸気側ダクトにおける第１シロッコファンの外周側に位置するＬ字形状の一端側を第２シロッコファンの前記ずれ部位に対向するように配設すれば、吸気側ダクトを介して投射光学装置側に流通させた空気を第２シロッコファンにて効果的に吸入させることができる。したがって、簡素な形状の吸気側ダクトとすることで製造を容易とし製造コストの低減が図れるとともに、第２シロッコファンにて吸気口を介して外装筐体外部の空気を効果的に吸入させることができる。
【００１２】
本発明のプロジェクタでは、前記吸気側ダクトは、内部の空気を前記第１シロッコファン側に排出するための第１吸気側排出口、および内部の空気を前記投射光学装置側に排出するための第２吸気側排出口を有し、前記吸気側ダクト内部には、前記第１吸気側排出口を含む領域と、前記第２吸気側排出口を含む領域とに区画する仕切り部が設けられていることが好ましい。
ところで、吸気側ダクト内部に上述した仕切り部が設けられていない構成では、以下の問題が生じやすい。
第１シロッコファンおよび第２シロッコファンの駆動制御として、例えば、第１シロッコファンの回転数を増加させる制御を実施した場合には、吸気側ダクト内部において、第１吸気側排出口に向かう空気の流量が多くなり、逆に、第２吸気側排出口に向かう空気の流量が少なくなる。すなわち、第１シロッコファンおよび第２シロッコファンの制御状態によって、第１吸気側排出口および第２吸気側排出口を介して排出される空気の各流量に影響を与えてしまう。
本発明では、吸気側ダクト内部に、第１吸気側排出口を含む領域と、第２吸気側排出口を含む領域とに区画する仕切り部が設けられている。このことにより、第１吸気側排出口に向かう空気の流通路と、第２吸気側排出口に向かう空気の流通路とを互いに独立させることができ、第１シロッコファンおよび第２シロッコファンの制御状態によっても、第１吸気側排出口および第２吸気側排出口を介して排出される空気の各流量に影響を与えることがない。
【００１３】
本発明のプロジェクタでは、前記第１シロッコファン側から前記第２シロッコファン側にかけて前記投射光学装置における前記投射方向に沿う外面に倣って延出し、前記吸気側ダクトにて前記投射光学側に流通された空気を前記第２シロッコファンに導く連結ダクトを備え、前記連結ダクトは、前記第１シロッコファンに対向し、前記第１シロッコファンを取り付けるためのファン支持部を備え、前記ファン支持部は、前記連結ダクトにおける前記第２シロッコファンに向かう空気の流通路に連通する連通室を有する中空状に形成されていることが好ましい。
本発明では、プロジェクタは、連結ダクトを備えているので、吸気側ダクトを介して投射光学装置側に流通させた空気を連結ダクトにて第２シロッコファンに導くことができ、第２シロッコファンにて吸気口を介して外装筐体外部の空気を効果的に吸入させることができる。
【００１４】
また、連結ダクトを構成するファン支持部は、第１シロッコファンを支持する機能の他、連結ダクトにおける第２シロッコファンに向かう空気の流通路に連通する連通室を有しダクトとしての機能も有する。このことにより、例えばファン支持部に連通室を設けない構成と比較して、連結ダクト内部の容積を大きく設定でき、第２シロッコファンの駆動時において、連結ダクト内部を流通する空気による騒音を低減でき、プロジェクタの静粛性を確保できる。
【発明を実施するための最良の形態】
【００１５】
以下、本発明の実施の一形態を図面に基づいて説明する。
図１は、プロジェクタ１の概略構成を示す斜視図である。具体的に、図１は、プロジェクタ１からアッパーケース５を取り外した斜視図である。なお、図１では、説明の便宜上、カラー画像の投射方向をＺ軸とし、該Ｚ軸に直交する２軸をＸ軸（水平軸）およびＹ軸（垂直軸）とする。以下の図面も同様である。
プロジェクタ１は、光源から射出される光束を画像情報に応じて変調して画像光（カラー画像）を形成し、形成したカラー画像をスクリーン（図示略）上に拡大投射するものである。このプロジェクタ１は、図１に示すように、プロジェクタ本体２と、画像再生装置としてのＤＶＤ(Digital Versatile Disk)プレーヤ３とが区画板４にて上下に区画され、一体的に構成されたものである。
【００１６】
ＤＶＤプレーヤ３は、図１に示すように、区画板４の下方側に配設され、プロジェクタ１の底面部分（−Ｙ軸方向側）を構成するロアーケース３１と、ロアーケース３１および区画板４で構成される空間内部に配設されるプレーヤ本体（図示略）とを備える。
前記プレーヤ本体は、ロアーケース３１の＋Ｚ軸方向端面に設けられたＤＶＤ投入部３１１に挿入されたＤＶＤに記録された画像情報（デジタルビデオ信号）を読み取り、読み取った画像情報をプロジェクタ本体２に出力する。
【００１７】
プロジェクタ本体２は、図１に示すように、外装筐体としてのアッパーケース５（図２参照）と、光学ユニット６と、冷却装置７等を備える。
なお、図１において、具体的な図示は省略したが、アッパーケース５および区画板４で構成される空間には、光学ユニット６および冷却装置７の他、プロジェクタ１内部の各構成部材に電力を供給する電源ユニット、およびプロジェクタ１内部の各構成部材を制御する制御装置等が配置される。
【００１８】
図２は、アッパーケース５の一部を模式的に示す斜視図である。
アッパーケース５は、プロジェクタ１の天面部分（＋Ｙ軸方向側）を構成するものであり、区画板４と組み合わせることで、該アッパーケース５および区画板４で構成される空間内に光学ユニット６および冷却装置７等を配置する。
このアッパーケース５において、＋Ｚ軸方向端面には、図２に示すように、光学ユニット６から拡大投射されるカラー画像を通過させるための光束通過用開口部５１が形成されている。
また、このアッパーケース５において、＋Ｘ軸方向端面（プロジェクタ１を所定の姿勢状態に設置した際に、鉛直方向（Ｙ軸方向）に沿う側面部）には、図２に示すように、＋Ｚ軸方向側で光学ユニット６の後述する投射レンズに対向する位置に、冷却装置７の駆動により、アッパーケース５外部の空気を内部に導入するための吸気口５２が形成されている。
【００１９】
図３は、光学ユニット６の構成を模式的に示す図である。
光学ユニット６は、前記制御装置による制御の下、光源から射出された光束を光学的に処理して画像情報に対応したカラー画像を形成し、スクリーンに拡大投射する。この光学ユニット６は、図３に示すように、光源ランプ６１１やリフレクタ６１２等を有する光源装置６１と、レンズアレイ６２１，６２２、偏光変換素子６２３、および重畳レンズ６２４等を有する照明光学装置６２と、ダイクロイックミラー６３１，６３２、および反射ミラー６３３等を有する色分離光学装置６３と、入射側レンズ６４１、リレーレンズ６４２、および反射ミラー６４３，６４４等を有するリレー光学装置６４と、前記制御装置による制御の下、光源装置６１から射出された光束を画像情報に応じて変調する光変調装置としての３つの液晶パネル６５１（赤色光側を液晶パネル６５１Ｒ、緑色光側を液晶パネル６５１Ｇ、青色光側を液晶パネル６５１Ｂとする）、３つの入射側偏光板６５２、３つの射出側偏光板６５３、および３つの液晶パネル６５１にて変調された光束を合成してカラー画像を形成する色合成光学装置としてのクロスダイクロイックプリズム６５４等を有する光学装置６５と、カラー画像を拡大投射する投射光学装置としての投射レンズ６６と、これら各光学部品６１〜６６を内部に設定された照明光軸Ａに対する所定位置に配置する光学部品用筐体６７とを備える。
なお、上述した各光学部品６１〜６６については、種々の一般的なプロジェクタの光学系として利用されているため、具体的な説明を省略する。
【００２０】
図４および図５は、冷却装置７の構造を示す図である。具体的に、図４は、冷却装置７が一体化された状態を示す斜視図である。図５は、冷却装置７の分解斜視図である。
冷却装置７は、図１に示すように、投射レンズ６６に近接して配設され、吸気口５２を介してアッパーケース５内部に導入した空気を冷却対象（光学装置６５、偏光変換素子６２３等）に送風して冷却する。この冷却装置７は、図４または図５に示すように、第１シロッコファン７１と、第２シロッコファン７２と、吸気側ダクト７３と、連結ダクト７４とを備える。
【００２１】
第１シロッコファン７１は、ファン回転軸Ａｘ１（図５）に沿って取り込んだ空気をファン回転接線方向に沿って吐出する、いわゆる、遠心力ファンで構成されている。この第１シロッコファン７１は、図１に示すように、投射レンズ６６の＋Ｘ軸方向側（投射レンズ６６および吸気口５２の間）において、ファン回転軸Ａｘ１がＸ軸に沿うように配設されている。
第２シロッコファン７２は、第１シロッコファン７１と同様の遠心力ファンで構成され、図４または図５に示すように、第１シロッコファン７１よりも大きいサイズを有している。この第２シロッコファン７２は、図１に示すように、投射レンズ６６を挟んで第１シロッコファン７１に対向し、ファン回転軸Ａｘ２（図５）がＸ軸に沿うように配設されている。
そして、第１シロッコファン７１および第２シロッコファン７２は、図５に示すように、冷却装置７を組み立てた状態では、各ファン回転軸Ａｘ１，Ａｘ２が互いにずれた位置となるように偏心した状態で配設される。より具体的に、第１シロッコファン７１および第２シロッコファン７２は、図５に示すように、ファン回転軸Ａｘ１がファン回転軸Ａｘ２に対して、−Ｚ軸方向側に位置するように配設されている。なお、−Ｘ軸方向側から見た場合には、第２シロッコファン７２に対して第１シロッコファン７１が隠れた位置に配設されているものである。
【００２２】
図６および図７は、吸気側ダクト７３の構造を示す斜視図である。具体的に、図６は、吸気側ダクト７３を＋Ｘ軸方向側から見た斜視図である。図７は、吸気側ダクト７３を−Ｘ軸方向側から見た斜視図である。
吸気側ダクト７３は、図４または図５に示すように、第１シロッコファン７１の＋Ｘ軸方向側（第１シロッコファン７１および吸気口５２の間）に配設されている。そして、吸気側ダクト７３は、第１シロッコファン７１の吸入面７１１（図５）および＋Ｚ軸方向側の外周を囲む平面視（Ｙ軸方向に沿って見た場合）Ｌ字形状を有し、吸気口５２を介してアッパーケース５内部に導入された空気を第１シロッコファン７１側および投射レンズ６６側に分けて流通させる。
【００２３】
この吸気側ダクト７３は、図６または図７に示すように、吸気側ダクト本体７３１と、延出部７３２とが一体的に構成されたものである。
吸気側ダクト本体７３１は、図６または図７に示すように、略直方体状の中空部材で構成されている。
この吸気側ダクト本体７３１において、＋Ｘ軸方向端面には、図６に示すように、内部に空気を導入するための矩形状の吸気側導入口７３１１が形成されている。また、吸気側導入口７３１１には、図４または図５に示すように、空気に混入した塵埃を除去する塵埃除去フィルタ７３１１Ａが嵌合固定される。そして、プロジェクタ１を組み立てた状態では、吸気側導入口７３１１が吸気口５２に接続し、吸気口５２、吸気側導入口７３１１、および塵埃除去フィルタ７３１１Ａを介してアッパーケース５外部の空気が吸気側ダクト７３内部に導入される。
【００２４】
また、吸気側ダクト本体７３１において、−Ｘ軸方向端面には、図６または図７に示すように、内部に導入された空気の一部を外部に排出するための略円形状の第１吸気側排出口７３１２が形成されている。この第１吸気側排出口７３１２は、図６または図７に示すように、円形状の中心位置が吸気側ダクト本体７３１の−Ｘ軸方向端面の中心位置に対して−Ｚ軸方向側にずれた位置に形成されている。また、第１吸気側排出口７３１２には、図６または図７に示すように、縁部から中心に向けて架け渡された格子状部７３１２Ａが形成されている。そして、冷却装置７を組み立てた状態では、第１吸気側排出口７３１２が第１シロッコファン７１の吸入面７１１に接続し、吸気側ダクト本体７３１内部の空気の一部が第１吸気側排出口７３１２を介して第１シロッコファン７１に吸入される。
【００２５】
延出部７３２は、図６または図７に示すように、吸気側ダクト本体７３１における−Ｘ軸方向端面の＋Ｚ軸方向側の部位から−Ｘ軸方向側に延出し、吸気側ダクト本体７３１と連通する略直方体状の中空部材で構成されている。
この延出部７３２において、延出方向先端部分には、図７に示すように、吸気側ダクト本体７３１内部に導入された空気の一部を外部に排出するための矩形状の第２吸気側排出口７３２１が形成されている。そして、第２吸気側排出口７３２１は、プロジェクタ１を組み立てた状態で、投射レンズ６６に対向するように配設され、延出部７３２を介して−Ｘ軸方向側に導かれた吸気側ダクト本体７３１内部の空気の一部を投射レンズ６６側に排出する。
【００２６】
そして、吸気側ダクト本体７３１において、−Ｘ軸方向端面の内面には、図６に示すように、吸気側ダクト７３内部を、第１吸気側排出口７３１２を含む第１領域Ａｒ１と、第２吸気側排出口７３２１を含む第２領域Ａｒ２とに区画する仕切り部７３１３が立設されている。
【００２７】
図８および図９は、連結ダクト７４の構造を示す斜視図である。具体的に、図８は、連結ダクト７４を＋Ｙ軸方向側から見た斜視図である。図９は、連結ダクト７４を−Ｙ軸方向側から見た斜視図である。
連結ダクト７４は、図１に示すように、光学ユニット６の−Ｙ軸方向側に配設されている。そして、連結ダクト７４は、吸気側ダクト７３の延出部７３２により投射レンズ６６側に導かれた空気を第２シロッコファン７２の配設位置まで導くとともに、第１シロッコファン７１および第２シロッコファン７２から吐出された空気を冷却対象の配設位置まで導く。この連結ダクト７４は、図８または図９に示すように、連結ダクト本体７５と、吐出側ダクト７６とが一体的に構成されたものである。
【００２８】
連結ダクト本体７５は、−Ｙ軸方向側が開口した容器状部材であり、区画板４に載置されることで、−Ｙ軸方向側の開口部分が閉塞され、内部に空気を流通させる。この連結ダクト本体７５は、図８または図９に示すように、第１対向壁部７５１と、接続部７５２と、第２対向壁部７５３とを備え、Ｚ軸方向から見た場合に略Ｕ字形状を有する。
第１対向壁部７５１は、第１シロッコファン７１および投射レンズ６６の間に位置し、第１シロッコファン７１と吸気側ダクト７３を構成する延出部７３２の延出方向先端部分とに対向する略直方体形状を有する。
この第１対向壁部７５１において、＋Ｘ軸方向端面の＋Ｚ軸方向側には、図８または図９に示すように、延出部７３２の延出方向先端部分に対向する位置に、内部に空気を導入するための矩形状の連結側導入口７５１１が形成されている。そして、冷却装置７を組み立てた状態では、連結側導入口７５１１が第２吸気側排出口７３２１に接続し、吸気側ダクト７３の延出部７３２により投射レンズ６６側に導かれた空気が、第２吸気側排出口７３２１および連結側導入口７５１１を介して連結ダクト本体７５内部に導入される。
【００２９】
ここで、第１対向壁部７５１において、連結側導入口７５１１の−Ｚ軸方向側は、図８に示すように、第１シロッコファン７１に対向する略矩形状の平面を有し、第１シロッコファン７１を取り付けるためのファン支持部７５１２として機能する。
より具体的に、ファン支持部７５１２は、図８に示すように、前記矩形状の平面の対角位置に、第１シロッコファン７１を取り付けるための固定用孔７５１２Ａがそれぞれ形成されている。そして、吸気側ダクト７３の各固定用孔７３Ａ（図５ないし図７）、および第１シロッコファン７１の各固定用孔７１Ａ（図５）を介して図示しないねじを固定用孔７５１２Ａに螺合することで、連結ダクト本体７５に対して第１シロッコファン７１および吸気側ダクト７３がＸ軸方向に積層した状態で固定される（図４）。
また、ファン支持部７５１２は、図９に示すように、連結ダクト本体７５における連結側導入口７５１１から第２シロッコファン７２に向かう空気の流通路Ｃに連通する連通室Ｒを有する中空状に形成されている。
接続部７５２は、図８または図９に示すように、第１対向壁部７５１と第２対向壁部７５３を接続する部分であり、投射レンズ６６における外面に倣って延出する。そして、第１対向壁部７５１内部に導入された空気を第２対向壁部７５３に導く。
【００３０】
第２対向壁部７５３は、第２シロッコファン７２および投射レンズ６６の間に位置し、第２シロッコファン７２に対向する略直方体形状を有する。
この第２対向壁部７５３において、−Ｘ軸方向端面には、図９に示すように、内部に導入された空気を外部に排出するための略円形状の連結側排出口７５３１が形成されている。そして、冷却装置７を組み立てた状態では、連結側排出口７５３１が第２シロッコファン７２の吸入面７２１（図５）に接続し、連結ダクト本体７４１内部の空気が連結側排出口７５３１を介して第２シロッコファン７２に吸入される。
【００３１】
吐出側ダクト７６は、−Ｙ軸方向側が開口した容器状部材であり、区画板４に載置されることで、−Ｙ軸方向側の開口部分が閉塞され、内部に空気を流通させる。この吐出側ダクト７６は、図８または図９に示すように、第１吐出側ダクト部７６１と、第２吐出側ダクト部７６２とを備える。
第１吐出側ダクト部７６１は、図８または図９に示すように、連結ダクト本体７５の第１対向壁部７５１の−Ｚ軸方向端部に接続し、該−Ｚ軸方向端部から−Ｚ軸方向に延出し、さらに、−Ｘ軸方向に屈曲して延出する平面視（Ｙ軸方向から見た場合）略Ｌ字形状を有する。
【００３２】
この第１吐出側ダクト部７６１において、平面視Ｌ字状の一端側（＋Ｚ軸方向側の端部）には、図８または図９に示すように、内部に空気を導入するための矩形状の第１吐出側導入口７６１１が形成されている。そして、冷却装置７を組み立てた状態では、第１吐出側導入口７６１１が第１シロッコファン７１の吐出口７１２（図５）に接続し、第１シロッコファン７１から吐出された空気が第１吐出側導入口７６１１を介して第１吐出側ダクト部７６１内部に導入される。
【００３３】
また、第１吐出側ダクト部７６１において、平面視Ｌ字状の他端側の＋Ｙ軸方向端面には、図８に示すように、赤色光側の液晶パネル６５１Ｒ、および緑色光側の液晶パネル６５１Ｇの各配設位置に対応した位置に、内部の空気を外部に排出するための吐出側排出口７６１２Ｒ，７６１２Ｇがそれぞれ形成されている。そして、プロジェクタ１を組み立てた状態では、第１シロッコファン７１から吐出された空気は、第１吐出側ダクト部７６１内部を流通し、第１吐出側ダクト部７６１内部の整流板７６１３（図９）にて分流されて各吐出側排出口７６１２Ｒ，７６１２Ｇを介して光学装置６５の赤色光側および緑色光側に排出される。排出された空気は、赤色光側の液晶パネル６５１Ｒおよび各偏光板６５２，６５３、緑色光側の液晶パネル６５１Ｇおよび各偏光板６５２，６５３に沿って流通し、各光学部品６５１Ｒ，６５１Ｇ，６５２，６５３を冷却する。
【００３４】
第２吐出側ダクト部７６２は、図８または図９に示すように、連結ダクト本体７５の第２対向壁部７５３の−Ｚ軸方向端部に接続し、該−Ｚ軸方向端部から偏光変換素子６２３の配設位置、および光学装置６５の青色光側に向けて２つに分岐して延出する。
この第２吐出側ダクト部７６２において、第２対向壁部７５３に接続する一端側には、図８または図９に示すように、内部に空気を導入するための矩形状の第２吐出側導入口７６２１が形成されている。そして、冷却装置７を組み立てた状態では、第２吐出側導入口７６２１が第２シロッコファン７２の吐出口７２２（図５）に接続し、第２シロッコファン７２から吐出された空気が第２吐出側導入口７６２１を介して第２吐出側ダクト部７６２内部に導入される。
【００３５】
また、第２吐出側ダクト部７６２において、２つに分岐された各他端側の＋Ｙ軸方向端面には、図８に示すように、偏光変換素子６２３、および青色光側の液晶パネル６５１Ｂの各配設位置に対応した位置に、内部の空気を外部に排出するための吐出側排出口７６２２Ｐ，７６２２Ｂがそれぞれ形成されている。そして、プロジェクタ１を組み立てた状態では、第２シロッコファン７２から吐出された空気は、第２吐出側ダクト部７６２内部を流通し、２つに分岐して各吐出側排出口７６２２Ｂ，７６２２Ｐを介して偏光変換素子６２３および光学装置６５の青色光側に排出される。排出された空気は、偏光変換素子６２３、青色光側の液晶パネル６５１Ｂおよび各偏光板６５２，６５３に沿って流通し、各光学部品６２３，６５１Ｂ，６５２，６５３を冷却する。
【００３６】
上述した本実施形態によれば、以下の効果がある。
本実施形態では、プロジェクタ１は、吸気口５２を介してアッパーケース５外部の空気を内部に取り込む第１シロッコファン７１および第２シロッコファン７２の２つのファンを備えている。このことにより、アッパーケース５内部の各種光学部品（偏光変換素子６２３、各液晶パネル６５１、各入射側偏光板６５２、各射出側偏光板６５３等）を効率的に冷却するために必要とされる所定の吸入量を、２つのファン７１，７２で補い合えばよく、２つのファン７１，７２を、従来のシロッコファンと比較して、吸引力の小さい小型のファンで構成できる。したがって、２つのファン７１，７２で前記所定の吸入量を維持し各種光学部品６２３，６５１〜６５３を効率的に冷却でき、かつ、２つのファン７１，７２を小型化することでアッパーケース５を厚み方向（Ｙ軸方向）に大きく形成する必要がなくプロジェクタ１の小型化が図れる。
【００３７】
また、第２シロッコファン７２は、第１シロッコファン７１よりも大きいサイズを有している。そして、小さい方の第１シロッコファン７１は、投射レンズ６６と吸気口５２との間に配設されている。このことにより、第１シロッコファン７１および第２シロッコファン７２を投射方向（Ｚ軸方向）にずらして配置しなくても、吸気口５２側（＋Ｘ軸方向側）から見た場合に、第１シロッコファン７１の外側に第２シロッコファン７２の一部が位置することとなる。このため、吸気口５２を介して第２シロッコファン７２に向かう空気は、ファン回転軸Ａｘ２に沿って第１シロッコファン７１の外側を通り、第２シロッコファン７２にて吸入されやすい構造を実現できる。したがって、第１シロッコファン７１および第２シロッコファン７２を投射方向にずらして配設する必要がなく、アッパーケース５を投射方向に大きく形成することなくプロジェクタ１の小型化が図れる。
【００３８】
さらに、第１シロッコファン７１および第２シロッコファン７２は、各ファン回転軸Ａｘ１，Ａｘ２が互いにずれた位置にそれぞれ配設されている。このことにより、吸気口５２側から見た場合に、第１シロッコファン７１の外側に位置する第２シロッコファン７２の部位（以下、ずれ部位）を、第１シロッコファン７１のファン回転軸Ａｘ１に対する第２シロッコファン７２のファン回転軸Ａｘ２のずれ方向の所定位置に纏めて位置付けることができる。また、吸気側ダクト７３は、第１シロッコファン７１の吸入面７１１およびファン回転軸Ａｘ１に沿う外周を囲む平面視Ｌ字形状を有している。このことにより、吸気側ダクト７３における第１シロッコファン７１の外周側に位置する延出部７３２を第２シロッコファン７２の前記ずれ部位に対向するように配設することで、吸気側ダクト７３を介して投射レンズ６６側に流通させた空気を第２シロッコファン７２にて効果的に吸入させることができる。したがって、簡素な形状の吸気側ダクト７３とすることで製造を容易とし製造コストの低減が図れるとともに、第２シロッコファン７２にて吸気口５２を介してアッパーケース５外部の空気を効果的に吸入させることができる。
【００３９】
ここで、吸気側ダクト７３内部には、第１吸気側排出口７３１２を含む第１領域Ａｒ１と、第２吸気側排出口７３２１を含む第２領域Ａｒ２とに区画する仕切り部７３１３が設けられている。このことにより、第１吸気側排出口７３１２に向かう空気の流通路と、第２吸気側排出口７３２１に向かう空気の流通路とを互いに独立させることができ、第１シロッコファン７１および第２シロッコファン７２の制御状態によっても、第１吸気側排出口７３１２および第２吸気側排出口７３２１を介して排出される空気の各流量に影響を与えることがない。
【００４０】
また、プロジェクタ１は、連結ダクト本体７５を備えているので、吸気側ダクト７３を介して投射レンズ６６側に流通させた空気を連結ダクト本体７５にて第２シロッコファン７２に導くことができ、第２シロッコファン７２にて吸気口５２を介してアッパーケース５外部の空気を効果的に吸入させることができる。
さらに、連結ダクト本体７５を構成するファン支持部７５１２は、第１シロッコファン７１を支持する機能の他、連結ダクト本体７５における連結側導入口７５１１から第２シロッコファン７２に向かう空気の流通路Ｃに連通する連通室Ｒを有しダクトとしての機能も有する。このことにより、例えばファン支持部に連通室を設けない構成と比較して、連結ダクト本体７５内部の容積を大きく設定でき、第２シロッコファン７２の駆動時において、第２シロッコファン７２に導入される空気が連通室Ｒを通ることにより、空気の風速が下がるため、連結ダクト本体７５内部を流通する空気による騒音を低減でき、プロジェクタ１の静粛性を確保できる。
【００４１】
なお、本発明は前述の実施形態に限定されるものではなく、本発明の目的を達成できる範囲での変形、改良等は本発明に含まれるものである。
前記実施形態において、第１シロッコファン７１および第２シロッコファン７２は、各ファン回転軸Ａｘ１，Ａｘ２が互いにずれた位置となるように偏心した状態で配設されていたが、これに限らず、ファン回転軸Ａｘ１，Ａｘ２が同一軸上に位置するように配設しても構わない。
【００４２】
前記実施形態では、冷却装置７の冷却対象として、偏光変換素子６２３、各液晶パネル６５１、各入射側偏光板６５２、および各射出側偏光板６５３を採用していたが、これに限らず、前記電源ユニット、光源装置６１等の他の構成部材を採用しても構わない。
【００４３】
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記実施形態では、光入射面と光射出面とが異なる透過型の液晶パネルを用いていたが、光入射面と光射出面とが同一となる反射型の液晶パネルを用いてもよい。
前記実施形態では、光変調装置として液晶パネルを用いていたが、マイクロミラーを用いたデバイスなど、液晶以外の光変調装置を用いてもよい。この場合は、光束入射側および光束射出側の偏光板６５２，６５３は省略できる。
【産業上の利用可能性】
【００４４】
本発明のプロジェクタは、小型化が図れるため、プレゼンテーションやホームシアタに用いられるプロジェクタとして利用できる。
【図面の簡単な説明】
【００４５】
【図１】本実施形態におけるプロジェクタの概略構成を示す斜視図。
【図２】前記実施形態におけるアッパーケースの一部を模式的に示す斜視図。
【図３】前記実施形態における光学ユニットの構成を模式的に示す図。
【図４】前記実施形態における冷却装置の構造を示す図。
【図５】前記実施形態における冷却装置の構造を示す図。
【図６】前記実施形態における吸気側ダクトの構造を示す斜視図。
【図７】前記実施形態における吸気側ダクトの構造を示す斜視図。
【図８】前記実施形態における連結ダクトの構造を示す斜視図。
【図９】前記実施形態における連結ダクトの構造を示す斜視図。
【符号の説明】
【００４６】
１・・・プロジェクタ、５・・・アッパーケース（外装筐体）、５２・・・吸気口、６１・・・光源装置、６６・・・投射レンズ（投射光学装置）、７１・・・第１シロッコファン、７２・・・第２シロッコファン、７３・・・吸気側ダクト、７４・・・連結ダクト、６５１・・・液晶パネル（光変調装置）、７３１２・・・第１吸気側排出口、７３１３・・・仕切り部、７３２１・・・第２吸気側排出口、７５１２・・・ファン支持部、Ａｒ１，Ａｒ２・・・領域、Ａｘ１，Ａｘ２・・・ファン回転軸、Ｃ・・・流通路、Ｒ・・・連通室。
【図１】
2008242106.tif 000003
【図２】
2008242106.tif 000004
【図３】
2008242106.tif 000005
【図４】
2008242106.tif 000006
【図５】
2008242106.tif 000007
【図６】
2008242106.tif 000008
【図７】
2008242106.tif 000009
【図８】
2008242106.tif 000010
【図９】
2008242106.tif 000011